【手続補正書】
【提出日】平成17年6月8日(2005.6.8)
【手続補正１】
【補正対象書類名】明細書
【補正対象項目名】発明の名称
【補正方法】変更
【補正の内容】
【発明の名称】画像処理装置および再起動方法
【手続補正２】
【補正対象書類名】明細書
【補正対象項目名】特許請求の範囲
【補正方法】変更
【補正の内容】
【特許請求の範囲】
【請求項１】
ネットワークに接続される画像処理装置において、
前記ネットワークから再起動コマンドを受信したとき、以降のジョブ投入を拒否する拒否手段と、
前記再起動コマンドを受信した時、実行中のジョブが存在するならば、該実行中のジョブの実行完了を待って、前記画像処理装置を再起動させる再起動手段と
を有することを特徴とする画像処理装置。
【請求項２】
前記再起動コマンドを受信した時、実行待ちジョブが存在するならば、該実行待ちジョブを他の画像処理装置へ転送する転送手段をさらに有することを特徴とする請求項１に記載の画像処理装置。
【請求項３】
前記転送手段による前記実行待ちのジョブの転送に障害があるとき、前記実行待ちのジョブを、前記画像処理装置のハードディスクに格納する格納手段と、
前記画像処理装置が再起動したとき、前記ハードディスクに格納された実行待ちのジョブを読み出して実行する実行手段と
をさらに有することを特徴とする請求項２に記載の画像処理装置。
【請求項４】
前記実行中のジョブの実行完了時に、実行待ちのジョブが存在するならば、該実行待ちのジョブを、前記画像処理装置の記憶装置に格納する格納手段と、
前記画像処理装置が再起動したとき、前記記憶装置に格納された実行待ちのジョブを読み出して実行する実行手段とをさらに有し、
前記再起動手段は、前記格納手段によって前記実行待ちのジョブの格納が完了した後に、前記画像処理装置を再起動させることを特徴とする請求項１に記載の画像処理装置。
【請求項５】
前記格納手段による前記実行待ちのジョブの格納に障害があるとき、前記実行待ちのジョブを、前記ネットワークを介して接続された別の画像処理装置に転送する転送手段をさらに有することを特徴とする請求項４に記載の画像処理装置。
【請求項６】
再起動が終了し、前記画像処理装置が起動したら、再起動が終了した旨をユーザに通知する通知手段をさらに有することを特徴とする請求項１に記載の画像処理装置。
【請求項７】
ネットワークに接続される画像処理装置において、
前記ネットワークから再起動コマンドを受信したとき、以降のジョブ投入を拒否する拒否手段と、
前記再起動コマンドを受信した時、実行待ちのジョブが存在するならば、該実行待ちのジョブを、前記ネットワークを介して接続された別の画像処理装置に転送する転送手段と、
前記転送手段による前記実行待ちのジョブの転送が完了した後に前記画像処理装置を再起動させる再起動手段と
を有することを特徴とする画像処理装置。
【請求項８】
ネットワークに接続される画像処理装置において、
前記ネットワークから再起動コマンドを受信したとき、以降のジョブ投入を拒否する拒否手段と、
前記再起動コマンドを受信した時、実行待ちのジョブが存在するならば、該実行待ちのジョブを、前記画像処理装置のハードディスクに格納する格納手段と、
前記格納手段によって前記実行待ちのジョブの格納が完了した後に、前記画像処理装置を再起動させる再起動手段と、
前記画像処理装置が再起動したとき、前記ハードディスクに格納された実行待ちのジョブを読み出して実行する実行手段と
を有することを特徴とする画像処理装置。
【請求項９】
ネットワークに接続される画像処理装置に適用される再起動方法において、
前記ネットワークから再起動コマンドを受信したとき、以降のジョブ投入を拒否する拒否ステップと、
前記再起動コマンドを受信した時、実行中のジョブが存在するならば、該実行中のジョブの実行完了を待って、前記画像処理装置を再起動させる再起動ステップと
を有することを特徴とする再起動方法。
【請求項１０】
ネットワークに接続される画像処理装置に適用される再起動方法において、
前記ネットワークから再起動コマンドを受信したとき、以降のジョブ投入を拒否する拒否ステップと、
前記再起動コマンドを受信した時、実行待ちのジョブが存在するならば、該実行待ちのジョブを、前記ネットワークを介して接続された別の画像処理装置に転送する転送ステップと、
前記転送ステップによる前記実行待ちのジョブの転送が完了した後に前記画像処理装置を再起動させる再起動ステップと
を有することを特徴とする再起動方法。
【請求項１１】
ネットワークに接続される画像処理装置に適用される再起動方法において、
前記ネットワークから再起動コマンドを受信したとき、以降のジョブ投入を拒否する拒否ステップと、
前記再起動コマンドを受信した時、実行待ちのジョブが存在するならば、該実行待ちのジョブを、前記画像処理装置のハードディスクに格納する格納ステップと、
前記格納ステップによって前記実行待ちのジョブの格納が完了した後に、前記画像処理装置を再起動させる再起動ステップと、
前記画像処理装置が再起動したとき、前記ハードディスクに格納された実行待ちのジョブを読み出して実行する実行ステップと
を有することを特徴とする再起動方法。
【手続補正３】
【補正対象書類名】明細書
【補正対象項目名】０００１
【補正方法】変更
【補正の内容】
【０００１】
【発明の属する技術分野】
本発明は画像処理装置および再起動方法に関し、特に、ネットワークに接続される画像処理装置および該画像処理装置に適用される再起動方法に関する。
【手続補正４】
【補正対象書類名】明細書
【補正対象項目名】０００６
【補正方法】変更
【補正の内容】
【０００６】
本発明はこのような問題点に鑑みてなされたものであって、ネットワークを介して遠隔地から画像処理装置の再起動を行う際に、該画像処理装置に実行中のジョブや実行待ちのジョブが存在しても、そうしたジョブの実行を保証することのできる画像処理装置および再起動方法を提供することを目的とする。
【手続補正５】
【補正対象書類名】明細書
【補正対象項目名】０００７
【補正方法】変更
【補正の内容】
【０００７】
【課題を解決するための手段】
上記目的を達成するために、請求項１記載の発明によれば、ネットワークに接続される画像処理装置において、前記ネットワークから再起動コマンドを受信したとき、以降のジョブ投入を拒否する拒否手段と、前記再起動コマンドを受信した時、実行中のジョブが存在するならば、該実行中のジョブの実行完了を待って、前記画像処理装置を再起動させる再起動手段とを有することを特徴とする画像処理装置が提供される。
また、請求項７記載の発明によれば、ネットワークに接続される画像処理装置において、前記ネットワークから再起動コマンドを受信したとき、以降のジョブ投入を拒否する拒否手段と、前記再起動コマンドを受信した時、実行待ちのジョブが存在するならば、該実行待ちのジョブを、前記ネットワークを介して接続された別の画像処理装置に転送する転送手段と、前記転送手段による前記実行待ちのジョブの転送が完了した後に前記画像処理装置を再起動させる再起動手段とを有することを特徴とする画像処理装置が提供される。
また、請求項８記載の発明によれば、ネットワークに接続される画像処理装置において、前記ネットワークから再起動コマンドを受信したとき、以降のジョブ投入を拒否する拒否手段と、前記再起動コマンドを受信した時、実行待ちのジョブが存在するならば、該実行待ちのジョブを、前記画像処理装置のハードディスクに格納する格納手段と、前記格納手段によって前記実行待ちのジョブの格納が完了した後に、前記画像処理装置を再起動させる再起動手段と、前記画像処理装置が再起動したとき、前記ハードディスクに格納された実行待ちのジョブを読み出して実行する実行手段とを有することを特徴とする画像処理装置が提供される。
また、請求項９記載の発明によれば、ネットワークに接続される画像処理装置に適用される再起動方法において、前記ネットワークから再起動コマンドを受信したとき、以降のジョブ投入を拒否する拒否ステップと、前記再起動コマンドを受信した時、実行中のジョブが存在するならば、該実行中のジョブの実行完了を待って、前記画像処理装置を再起動させる再起動ステップとを有することを特徴とする再起動方法が提供される。
また、請求項１０記載の発明によれば、ネットワークに接続される画像処理装置に適用される再起動方法において、前記ネットワークから再起動コマンドを受信したとき、以降のジョブ投入を拒否する拒否ステップと、前記再起動コマンドを受信した時、実行待ちのジョブが存在するならば、該実行待ちのジョブを、前記ネットワークを介して接続された別の画像処理装置に転送する転送ステップと、前記転送ステップによる前記実行待ちのジョブの転送が完了した後に前記画像処理装置を再起動させる再起動ステップとを有することを特徴とする再起動方法が提供される。
また、請求項１１記載の発明によれば、ネットワークに接続される画像処理装置に適用される再起動方法において、前記ネットワークから再起動コマンドを受信したとき、以降のジョブ投入を拒否する拒否ステップと、前記再起動コマンドを受信した時、実行待ちのジョブが存在するならば、該実行待ちのジョブを、前記画像処理装置のハードディスクに格納する格納ステップと、前記格納ステップによって前記実行待ちのジョブの格納が完了した後に、前記画像処理装置を再起動させる再起動ステップと、前記画像処理装置が再起動したとき、前記ハードディスクに格納された実行待ちのジョブを読み出して実行する実行ステップとを有することを特徴とする再起動方法が提供される。
【手続補正６】
【補正対象書類名】明細書
【補正対象項目名】０１６２
【補正方法】削除
【補正の内容】
【手続補正７】
【補正対象書類名】明細書
【補正対象項目名】０１６３
【補正方法】削除
【補正の内容】
【手続補正８】
【補正対象書類名】明細書
【補正対象項目名】０１６４
【補正方法】削除
【補正の内容】
【手続補正９】
【補正対象書類名】明細書
【補正対象項目名】０１６５
【補正方法】削除
【補正の内容】
【手続補正１０】
【補正対象書類名】明細書
【補正対象項目名】０１６６
【補正方法】削除
【補正の内容】
【手続補正１１】
【補正対象書類名】明細書
【補正対象項目名】０１６７
【補正方法】削除
【補正の内容】
【手続補正１２】
【補正対象書類名】明細書
【補正対象項目名】０１６８
【補正方法】削除
【補正の内容】
【手続補正１３】
【補正対象書類名】明細書
【補正対象項目名】０１６９
【補正方法】削除
【補正の内容】
【手続補正１４】
【補正対象書類名】明細書
【補正対象項目名】０１７０
【補正方法】削除
【補正の内容】
【手続補正１５】
【補正対象書類名】明細書
【補正対象項目名】０１７１
【補正方法】削除
【補正の内容】
【手続補正１６】
【補正対象書類名】明細書
【補正対象項目名】０１７２
【補正方法】削除
【補正の内容】
【手続補正１７】
【補正対象書類名】明細書
【補正対象項目名】０１７３
【補正方法】削除
【補正の内容】
【手続補正１８】
【補正対象書類名】明細書
【補正対象項目名】０１７４
【補正方法】削除
【補正の内容】
【手続補正１９】
【補正対象書類名】明細書
【補正対象項目名】０１７５
【補正方法】削除
【補正の内容】
【手続補正２０】
【補正対象書類名】明細書
【補正対象項目名】０１７６
【補正方法】削除
【補正の内容】
【手続補正２１】
【補正対象書類名】明細書
【補正対象項目名】０１７７
【補正方法】削除
【補正の内容】
【手続補正２２】
【補正対象書類名】明細書
【補正対象項目名】０１７８
【補正方法】削除
【補正の内容】
【手続補正２３】
【補正対象書類名】明細書
【補正対象項目名】０１７９
【補正方法】削除
【補正の内容】
【手続補正２４】
【補正対象書類名】明細書
【補正対象項目名】０１８０
【補正方法】削除
【補正の内容】
【手続補正２５】
【補正対象書類名】明細書
【補正対象項目名】０１８１
【補正方法】削除
【補正の内容】
【手続補正２６】
【補正対象書類名】明細書
【補正対象項目名】０１８２
【補正方法】削除
【補正の内容】
【手続補正２７】
【補正対象書類名】明細書
【補正対象項目名】０１８３
【補正方法】削除
【補正の内容】
【手続補正２８】
【補正対象書類名】明細書
【補正対象項目名】０１８４
【補正方法】削除
【補正の内容】
【手続補正２９】
【補正対象書類名】明細書
【補正対象項目名】０１８５
【補正方法】削除
【補正の内容】
【手続補正３０】
【補正対象書類名】明細書
【補正対象項目名】０１８６
【補正方法】削除
【補正の内容】
【手続補正３１】
【補正対象書類名】明細書
【補正対象項目名】０１８７
【補正方法】削除
【補正の内容】
【手続補正３２】
【補正対象書類名】明細書
【補正対象項目名】０１８８
【補正方法】削除
【補正の内容】